【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）無線通信システムにおける空間周波数ブロックコーディング（ＳＦＢＣ）を実行するための方法であって、
入力データストリーム上でチャネルコーディングを実行するステップと、
コード化されたデータストリームを２以上のデータストリームに多重化するステップと、
チャネル状態情報（ＣＳＩ）を獲得するステップと、
全サブキャリアについて複数の固有モードの各々に関するチャネルエネルギーを計算するステップと、
前記計算されたチャネルエネルギーに基づいて前記複数の固有モードについてハーモニックＳＮ比を計算するステップと、
前記ハーモニックＳＮ比の分離を計算するステップと、
前記チャネル状態情報（ＣＳＩ）に基づいてサポートされたデータ速度を決定するステップと、
前記モード間で分配されたビットレートを決定するステップと、
空間周波数ブロックコーディング（ＳＦＢＣ）のエンコーディングのためにサブキャリアを組み合わせるステップと、
前記データストリーム上で空間周波数ブロックコーディング（ＳＦＢＣ）のエンコーディングを実行するステップと、
前記チャネル状態情報（ＣＳＩ）に基づいて固有ビーム形成を実行し、固有ビームを複数の送信アンテナに分配するステップと、
前記データストリームを伝送用の時間領域のデータに変換するために、逆フーリエ変換を実行するステップと
を具えたことを特徴とする方法。
【請求項２】
前記サブキャリアは、複数のサブキャリアのグループに分割されることを特徴とする請求項１記載の方法。
【請求項３】
前記サブキャリアのグループのバンド幅は、チャネルのコヒーレンスバンド幅未満であることを特徴とする請求項２記載の方法。
【請求項４】
弱い固有モードについて、サブキャリア若しくはサブキャリアのグループを介してパワー最適条件を適用するステップをさらに具えたことを特徴とする請求項１記載の方法。
【請求項５】
直交周波数分割多重（ＯＦＤＭ）無線通信システムにおける空間周波数ブロックコーディング（ＳＦＢＣ）を実行するための方法であって、
入力データストリーム上でチャネルコーディングを実行するステップと、
コード化されたデータストリームを２以上のデータストリームに多重化するステップと、
チャネル状態情報（ＣＳＩ）を獲得するステップと、
サブキャリア毎の固有値を格付けするステップと、
全サブキャリアについて前記同じ格付けされた固有値をグループ化することによって固有ビームを生成するステップと、
固有ビーム毎の固有値の平均を計算するステップと、
固有ビームを組み合わせることによって空間周波数ブロックを生成するステップと、
データ速度に対する固有ビームの組毎の所要なＳＮ比をマッピングすることによって、固有ビームの各組についてデータ速度を決定するステップと、
空間周波数ブロックコーディング（ＳＦＢＣ）のエンコーディングのためにサブキャリアを組み合わせるステップと、
前記データストリーム上で空間周波数ブロックコーディング（ＳＦＢＣ）のエンコーディングを実行するステップと、
前記チャネル状態情報（ＣＳＩ）に基づいて固有ビーム形成を実行し、固有ビームを複数の送信アンテナに分配するステップと、
前記データストリームを伝送用の時間領域のデータに変換するために、逆フーリエ変換を実行するステップと
を具えたことを特徴とする方法。
【請求項６】
固有ビームの全ての組について所要なＳＮ比を調整して、測定誤差を補償し、全送信パワーを一定にするステップをさらに具えたことを特徴とする請求項５記載の方法。
【請求項７】
固有ビームの組毎のウェイトベクトルを適用するステップをさらに具えたことを特徴とする請求項５記載の方法。
【請求項８】
前記チャネル状態情報（ＣＳＩ）は、受信機によって生成され、該受信機に戻されることを特徴とする請求項１記載の方法。
【請求項９】
前記チャネル状態情報（ＣＳＩ）は、チャネル相互依存関係を通じて送信機によって生成されることを特徴とする請求項１記載の方法。
【請求項１０】
直交周波数分割多重（ＯＦＤＭ）無線通信システムにおける空間周波数ブロックコーディング（ＳＦＢＣ）を実行するための方法であって、
入力データストリーム上でチャネルコーディングを実行するステップと、
コード化されたデータストリームを２以上のデータストリームに多重化するステップと、
空間周波数ブロックコーディング（ＳＦＢＣ）のエンコーディングのためにサブキャリアを組み合わせるステップと、
前記データストリーム上で空間周波数ブロックコーディング（ＳＦＢＣ）のエンコーディングを実行するステップと、
チャネル状態情報を用いることなくビーム形成ネットワークによって複数のビームを生成し、該生成されたビームを交換するステップと、
前記データストリームを伝送用の時間領域のデータに変換するために、逆フーリエ変換を実行するステップと
を具えたことを特徴とする方法。
【請求項１１】
直交周波数分割多重（ＯＦＤＭ）無線通信システムにおける空間周波数ブロックコーディング（ＳＦＢＣ）を実行するための装置であって、
入力データストリーム上でチャネルコーディングを実行するチャネルコーダと、
コード化されたデータストリームを２以上のデータストリームに多重化するマルチプレクサと、
全サブキャリアについて複数の固有モードの各々に関するチャネルエネルギーを計算し、前記チャネルエネルギーから前記複数の固有モードについてハーモニックＳＮ比を計算し、前記チャネル状態情報（ＣＳＩ）に基づいて固有モードについてデータ速度を決定するパワーローディングユニットと、
前記サブキャリアの各組について前記データストリーム上で空間周波数ブロックコーディング（ＳＦＢＣ）のエンコーディングを実行する複数の空間周波数ブロックコーディング（ＳＦＢＣ）ユニットと、
前記チャネル状態情報（ＣＳＩ）に基づいて固有ビーム形成を実行し、固有ビームを複数の送信アンテナに分配する複数の固有ビームフォーマと、
前記データストリームを伝送用の時間領域のデータに変換するために、逆フーリエ変換を実行する複数の逆フーリエ変換ユニットと、
複数のアンテナと
を具えたことを特徴とする装置。
【請求項１２】
前記サブキャリアは、複数のサブキャリアのグループに分割されることを特徴とする請求項１１記載の装置。
【請求項１３】
前記サブキャリアのグループのバンド幅は、チャネルのコヒーレンスバンド幅未満であることを特徴とする請求項１２記載の装置。
【請求項１４】
前記パワーローディングユニットは、弱い固有モードについて、サブキャリア若しくはサブキャリアのグループを介してパワー最適条件を適用するように構成されたことを特徴とする請求項１２記載の装置。
【請求項１５】
直交周波数分割多重（ＯＦＤＭ）無線通信システムにおける空間周波数ブロックコーディング（ＳＦＢＣ）を実行するための装置であって、
入力データストリーム上でチャネルコーディングを実行するチャネルコーダと、
コード化されたデータストリームを２以上のデータストリームに多重化するマルチプレクサと、
サブキャリア毎の固有値を格付けし、全サブキャリアについて前記同じ格付けされた固有値をグループ化することによって固有ビームを生成し、固有ビーム毎の固有値の平均を計算し、固有ビームの各組についてデータ速度を決定するパワーローディングユニットと、
前記サブキャリアの各組について前記データストリーム上で空間周波数ブロックコーディング（ＳＦＢＣ）のエンコーディングを実行する複数の空間周波数ブロックコーディング（ＳＦＢＣ）ユニットと、
前記チャネル状態情報（ＣＳＩ）に基づいて固有ビーム形成を実行し、固有ビームを複数の送信アンテナに分配する複数の固有ビームフォーマと、
前記データストリームを伝送用の時間領域のデータに変換するために、逆フーリエ変換を実行する複数の逆フーリエ変換ユニットと、
複数のアンテナと
を具えたことを特徴とする装置。
【請求項１６】
前記パワーローディングユニットは、
固有ビームの全ての組について所要なＳＮ比を調整して、測定誤差を補償し、全送信パワーを一定にするように構成されたことを特徴とする請求項１５記載の装置。
【請求項１７】
前記パワーローディングユニットは、
固有ビームの組毎のウェイトベクトルを適用するように構成されたことを特徴とする請求項１５記載の装置。
【請求項１８】
前記チャネル状態情報（ＣＳＩ）は、受信機によって生成され、該受信機に戻されることを特徴とする請求項１１記載の装置。
【請求項１９】
前記チャネル状態情報（ＣＳＩ）は、チャネル相互依存関係を通じて送信機によって生成されることを特徴とする請求項１１記載の装置。
【請求項２０】
直交周波数分割多重（ＯＦＤＭ）無線通信システムにおける空間周波数ブロックコーディング（ＳＦＢＣ）を実行するための装置であって、
入力データストリーム上でチャネルコーディングを実行するチャネルコーダと、
コード化されたデータストリームを２以上のデータストリームに多重化するマルチプレクサと、
前記多重化されたデータストリームの各々における前記チャネル状態情報（ＣＳＩ）に基づいてパワーローディングを実行するパワーローディングユニットと、
前記サブキャリアの各組について前記データストリーム上で空間周波数ブロックコーディング（ＳＦＢＣ）のエンコーディングを実行する複数の空間周波数ブロックコーディング（ＳＦＢＣ）ユニットと、
チャネル状態情報を用いることなく複数のビームを生成し、該生成されたビームを交換するビーム形成ネットワークと、
前記データストリームを伝送用の時間領域のデータに変換するために、逆フーリエ変換を実行する複数の逆フーリエ変換ユニットと、
複数のアンテナと
を具えたことを特徴とする装置。